(57)【特許請求の範囲】
【請求項１】
矩形に枠組みされた枠体内に配置され、左右方向に走行可能な障子を備える引戸であって、
前記障子は、戸先側端部の見込面よりも見付方向内側に戸当り面が形成された戸先框を備え、
前記障子が閉鎖された状態では、縦材の戸先側が前記戸先框の前記戸当り面に突き合わされ、前記戸先框が前記縦材の屋内側面をすべて覆っている引戸。  
【請求項２】
前記戸先框は、前記戸先側端部の見込面と前記戸当り面との間に形成された見付面の少なくとも一部に形成された凹部を有する請求項１記載の引戸。
【請求項３】
前記障子が引き込まれる戸袋を更に備え、
前記障子は、前記戸袋内に引き込まれたときに、前記戸先側端部の見込面が前記戸袋の見付方向内側の面と面一に形成される請求項１又は２記載の引戸。
【請求項４】
前記障子は、前記障子の戸袋側に召合せ框を備えるとともに、前記召合せ框の屋内側の見付面と前記戸先框の屋内側の見付面が同一平面上に配置される請求項３記載の引戸。
【発明の詳細な説明】
【技術分野】
【０００１】
本発明は、引戸に関する。
【背景技術】
【０００２】
従来、開口部に設けられた枠体の有する下枠に形成された溝に沿って障子を水平方向に走行させる引戸が知られている。引戸の障子には、障子を走行させるための手掛けが形成されている。引戸の障子を開放された状態から閉鎖する際には、操作者は手掛けに指を掛けて障子を戸先側に走行させる。
【０００３】
ところで、引戸の障子には通常、操作者から視認される戸先側の見付面に手掛けが形成される（例えば、特許文献１及び２参照）。
【先行技術文献】
【特許文献】
【０００４】
【特許文献１】特開２００８−１５０９２５号公報
【特許文献２】特開２０１０−２８５８３６号公報
【発明の概要】
【発明が解決しようとする課題】
【０００５】
このように、操作者から視認される位置に手掛けを設けた場合、引戸の意匠性が低下してしまうことが問題であった。
【０００６】
本発明は、上記の課題に鑑みてなされたものであり、意匠性が高い引戸を提供することを目的とする。
【課題を解決するための手段】
【０００７】
本発明は、矩形に枠組みされた枠体（例えば、後述の枠体２）内に配置され、左右方向に走行可能な障子（例えば、後述の障子４）を備える引戸（例えば、後述の引戸１）であって、前記障子は、戸先側端部の見込面（例えば、後述の戸先側端部の見込面４４５）よりも見付方向内側に戸当り面（例えば、後述の戸当り面４４６）が形成された戸先框（例えば、後述の戸先框４４）を備え、前記障子が閉鎖された状態では、縦材（例えば、後述の縦材３３）の戸先側が前記戸先框の前記戸当り面に突き合わされ、前記戸先框が前記縦材の屋内側面をすべて覆っている引戸に関する。
【０００８】
この発明では、戸先框の、戸先側端部の見込面よりも見付方向内側に戸当り面を形成する。
これにより、これにより、視認しやすい位置に手掛けを設けなくても、戸先側端部の見込面と戸当り面との間を手掛かりとして操作者が障子を操作することができる。従って、本発明に係る引戸は意匠性が高い。
【０００９】
また、前記戸先框は、前記戸先側端部の見込面と前記戸当り面との間に形成された見付面の少なくとも一部に形成された凹部（例えば後述の凹部４４７）を有することが好ましい。
【００１０】
また、前記障子が引き込まれる戸袋（例えば、後述の戸袋１０１）を更に備え、前記障子は、前記戸袋内に引き込まれたときに、前記戸先側端部の見込面が前記戸袋の見付方向内側の面（例えば、後述の面１０３）と面一に形成されることが好ましい。
【００１１】
また、前記障子は、前記障子の戸袋側に召合せ框（例えば、後述の召合せ框４３）を備えるとともに、前記召合せ框の屋内側の見付面（例えば、後述の見付面４３４）と前記戸先框の屋内側の見付面（例えば、後述の見付面４４０）が同一平面上に配置されることが好ましい。
【発明の効果】
【００１２】
本発明によれば、意匠性が高い引戸を提供できる。
【図面の簡単な説明】
【００１３】
【図１】本発明の一実施形態に係る引戸の正面図である。
【図２】上記実施形態に係る引戸の縦断面図である。
【図３】上記実施形態に係る引戸の横断面図である。
【図４】上記実施形態に係る引戸の、障子が開放された状態における横断面図である。
【図５】上記実施形態に係る引戸の、障子が開放された状態における戸先框周辺を拡大した横断面図である。
【発明を実施するための形態】
【００１４】
以下、本発明の実施形態について、図面を参照しながら詳しく説明する。なお、本明細書において、「見付方向」とは、建物に形成された開口部に納められた引戸の上枠、下枠の長手方向（すなわち、ガラスや障子の面内水平方向）を意味し、「見込方向」とは、屋内外方向（すなわち、奥行き方向）を意味する。
【００１５】
図１は、実施形態に係る引戸１を屋内側から見た正面図である。引戸１は、例えば住宅の壁１００に形成された開口部１０に納められる。
引戸１は、建物の開口部１０に取り付けられる枠体２と、枠体２内の左右方向の中心に配置されて固定される中心側ＦＩＸ部３と、中心側ＦＩＸ部３の見付方向外側の枠体２内に配置され且つ外側にスライド可能な障子４，４と、障子４の見付方向外側の枠体２内に配置されて固定される外側ＦＩＸ部５，５と、を備える。また、引戸１は、開口部１０の左右であって、見付方向において外側ＦＩＸ部５，５と重複する位置に、障子４，４が収納される戸袋１０１，１０１を更に備える。このように引戸１は、左右対称に構成される。なお、図１は、障子４，４が閉鎖された状態を示す。
【００１６】
枠体２は、上枠２１と、下枠２２と、左右の縦枠２３，２３と、により矩形に枠組みされる。枠体２を構成する上枠２１、縦枠２３，２３は、屋内側からは壁１００に覆われる。また、枠体２を構成する下枠２２は、床面１０２よりも下に配置される。
【００１７】
中心側ＦＩＸ部３は、中心側ＦＩＸ部枠体３０と、中心側ＦＩＸ部枠体３０の内部に嵌め込まれるガラスパネル３５と、を備える。中心側ＦＩＸ部枠体３０は、上材３１と、下材３２と、縦材３３，３３と、を枠組みすることで構成される。中心側ＦＩＸ部枠体３０を構成する上材３１は、屋内側からは壁１００に覆われる。また、中心側ＦＩＸ部枠体３０を構成する下枠２２は、床面１０２よりも下に配置されるので、屋内側から視認できない。更に、縦材３３は、障子４，４が閉鎖された状態においては、屋内側からは後述する戸先框４４によって覆われる。
【００１８】
障子４は、框体４０の内部に嵌め込まれるガラスパネル４５と、を備える。框体４０は、上框４１と、下框４２と、召合せ框４３と、戸先框４４と、を框組みすることで構成される。框体４０を構成する上框４１及び召合せ框４３は、屋内側からは壁１００に覆われる。また、框体４０を構成する下框４２は、床面１０２よりも下に配置されるので、屋内側から視認できない。
【００１９】
外側ＦＩＸ部５は、屋内側から見て全面が壁１００に覆われる。外側ＦＩＸ部５は、外側ＦＩＸ部枠体５０と、外側ＦＩＸ部枠体５０の内部に嵌め込まれるガラスパネル５５と、を備える。外側ＦＩＸ部枠体５０は、上材５１と、下材５２と、見付方向外側の縦材５３と、見付方向内側の縦材５４と、を枠組みすることで構成される。
【００２０】
図２は、引戸１の縦断面図であって、図１のＡ−Ａ線断面図である。
図２に示すように、ガラスパネル４５は、屋内側の板ガラス４５１と屋外側の板ガラス４５２とを、スペーサ４５３を介在させることによって所定の間隔を開けて配置した複層ガラスパネルである。
【００２１】
上枠２１は、屋外側に配置され且つ中空部を有するホロー構造である上枠本体２１１と上枠本体２１１の屋内側に固定されるレール部材２１２と、を備える。上枠本体２１１は、締結部材２１３，２１４によって壁１００に固定される。レール部材２１２は、締結部材２１５によって上枠本体２１１に固定される固定部２１６と、固定部２１６の下端から屋内側に延出するレール部２１７と、を備える。
上枠本体２１１及びレール部材２１２は、例えば、アルミニウムを押し出し成型することによって形成することができる。
【００２２】
上框４１は、レール部２１７の上方に配置され回動可能な戸車部材４１１と、戸車部材４１１の屋内側に係合される上框本体４１２と、を備える。戸車部材４１１には、屋内側に被係合部４１３が形成される。上框本体４１２は、下側に開口する溝部４１４と、溝部４１４の屋内側から上方に延出する延出部４１５と、を備える。延出部４１５の先端には、被係合部４１３に係合する係合部４１６が形成される。
上框本体４１２は、例えば、アルミニウムを押し出し成型することによって形成することができる。
【００２３】
ガラスパネル４５の上端部は、溝部４１４内において、バックアップ材４１７，４１７によって挟まれる。更にバックアップ材４１７，４１７の下方には、シール材４１８，４１８が塗工される。
なお、上枠２１及び上框４１の屋内側には、障子４の走行を補助するリニアモータ駆動装置４６が配置される。
【００２４】
下框４２は、上側に開口する溝の形成された部材である。下框４２は、例えば、アルミニウムを押し出し成型することによって形成することができる。
ガラスパネル４５は、下框４２の内部に配置されるアングル４２１によって支持される。また、アングル４２１とガラスパネル４５との間には、弾性部材４２２が配置される。ガラスパネル４５の下端部は、下框４２内において、バックアップ材４２３，４２３によって挟まれる。更にバックアップ材４２３，４２３の上方には、シール材４２４，４２４が塗工される。
【００２５】
下枠２２は、下枠本体２２１と、溝塞ぎ部材２２２と、押さえ部材２２３を備える。下枠本体２２１は、障子４の下側に配置される下側部材２２４と、下側部材２２４の屋外側に配置される屋外側部材２２５と、下側部材２２４の屋内側に配置される屋内側部材２２６と、を備えて構成される。屋外側部材２２５の屋内側には、気密材２２０が配置される。
【００２６】
下枠本体２２１には、上向きに開口し且つ前記障子４が走行可能な溝２２７が形成される。溝塞ぎ部材２２２は、下枠本体２２１内に配置される。溝塞ぎ部材２２２は、障子４が閉鎖された状態において、障子４（下框４２）よりも屋内側に配置される。溝塞ぎ部材２２２は、その屋外側の先端に気密材としてのモヘア部材２２８と、下側に固定されることで溝塞ぎ部材２２２の本体の下端と下枠本体２２１との間に空間を形成するスペーサ２２９と、を備える。
【００２７】
図２に示すように、障子４が閉鎖された状態において、床面１０２、下枠２２の上面及び下框４２の上部は、面一になるように構成される。
【００２８】
図３は、引戸１の横断面図であって、図１のＢ−Ｂ線断面図である。
図３に示すように、ガラスパネル３５及びガラスパネル５５も、ガラスパネル４５と同様に、２枚の板ガラスを、スペーサを介在させることによって所定の間隔を開けて配置した複層ガラスパネルである。具体的には、ガラスパネル３５は、板ガラス３５１と板ガラス３５２との間にスペーサ３５３を介在させた複層ガラスパネルであり、ガラスパネル５５は、板ガラス５５１と板ガラス５５２との間にスペーサ５５３を介在させた複層ガラスパネルである。
【００２９】
縦枠２３は、壁１００の開口部１０側に固定される。
縦材５３は、縦枠２３に締結部材５３４によって固定され且つ中空部を有するホロー構造である屋外側縦材５３１と、屋外側縦材５３１の屋内側に樹脂材５３５を介して連結され且つ中空部を有するホロー構造である屋内側縦材５３２と、屋外側縦材５３１の屋外側に固定される表面材５３３と、を備える。
【００３０】
屋外側縦材５３１及び屋内側縦材５３２は、例えば、アルミニウムを押し出し成型することによって形成することができる。
ガラスパネル５５の見付方向外側の端部は、屋外側縦材５３１及び屋内側縦材５３２によって形成される溝の内部に配置される。
【００３１】
縦材５４は、中空部を有するホロー構造であり、見付方向外側（図３の左側）に開口した溝を形成する。縦材５４は、屋外側に形成される外煙返し部５４１を備える。外煙返し部５４１は、上下に亘って通しで延びて形成される。縦材５４は、例えば、アルミニウムを押し出し成型することによって形成することができる。
ガラスパネル５５の見付方向内側（図３の右側）の端部は、縦材５４によって形成される溝の内部に配置される。また、ガラスパネル５５と縦材５４の間には、公知のグレージングチャンネルやシール材が設けられることによって水密性が確保される。
【００３２】
召合せ框４３は、縦材５４の屋内側に配置される。召合せ框４３は、見付方向内側に向けて開口する溝の形成された溝部４３１と、溝部４３１よりも屋外側に設けられた内煙返し部４３２と、溝部４３１よりも屋内側に設けられた屋内部４３３と、を備える。内煙返し部４３２は、上下に亘って通しで延び且つ見付け方向において外煙返し部５４１と重複するラップ代を有するように形成される。屋内部４３３は、中空部を有するホロー構造である。屋内部４３３は、召合せ框４３屋内側の見付面４３４を形成する。
図３に示すように、障子４が閉鎖された状態において、屋内部４３３の見付方向内側の面は、壁１００の屋内側の開口部１０側の面と、面一となるように構成される。
【００３３】
召合せ框４３は、例えば、アルミニウムを押し出し成型することによって形成することができる。
ガラスパネル４５の見付方向外側の端部は、溝部４３１によって形成される見付方向内側に開口する溝の内部に配置される。
【００３４】
戸先框４４は、戸先框本体４４１と、化粧カバー４４２と、を有し、断面Ｌ字状に形成される。戸先框本体４４１は、見付方向外側に開口する溝部４４３と、溝部４４３の屋内側に配置され且つ中空部を有するホロー構造である屋内部４４４と、を備える。化粧カバー４４２は、屋内部４４４の見込面及び屋内側の面を覆うように配置される、断面Ｃ字状の部材である。化粧カバー４４２は、戸先框４４の戸先側端部の見込面４４５及び屋内側の見付面４４０を形成する。
【００３５】
戸先框本体４４１は、例えば、アルミニウムを押し出し成型することによって形成することができる。
ガラスパネル４５の見付方向内側の端部は、溝部４４３によって形成される見付方向外側に開口する溝の内部に配置される。
【００３６】
縦材３３は、障子４が閉鎖された状態において障子４の戸先側（見付方向内側）に当接する。縦材３３は、見付方向内側に開口した溝の形成された縦材本体３３１を備える。縦材本体３３１は、中空部を有するホロー構造である。縦材本体３３１は、屋内部４４４の屋外側に配置され、障子４が閉鎖された状態において溝部４４３の見付方向の先端と突き合わされる。
【００３７】
戸先框４４及び縦材３３は、障子４が閉鎖された状態において、断面が略矩形状に形成される。縦材本体３３１は、例えば、アルミニウムを押し出し成型することによって形成することができる。
ガラスパネル３５の端部は、縦材本体３３１によって形成される溝の内部に配置される。
【００３８】
なお、図３に示すように、溝塞ぎ部材２２２は、障子４が閉鎖された状態において、屋内部４３３の下から屋内部４４４の下まで見付方向（左右方向）に延びて設けられる。溝塞ぎ部材２２２は、その両端部が屋外側から屋内側に向かって幅が広がるように傾斜して形成される。
【００３９】
図４は、引戸１の、障子４が開放された状態における縦断面図である。
図４に示すように、障子４は、戸袋１０１の内部に収納されて開放される。図４に示すように、障子４が開放された状態において、戸先框４４の見付方向内側の面は、壁１００の屋内側の開口部１０側の面と、面一となるように構成される。なお、溝塞ぎ部材２２２は、障子４が開放された状態において、下枠２２の上方から視認することができる。
【００４０】
また、図３及び図４に示すように、召合せ框４３の屋内側の見付面４３４と戸先框の屋内側の見付面４４０が同一平面上に配置される。つまり、召合せ框４３の屋内側の見付面４３４と戸先框４４の屋内側の見付面４４０の見込方向の位置Ｐは、同一に形成される。そして、障子４は、その全体が戸袋１０１に引き込まれる。障子４は、戸袋１０１内に引き込まれたときに、戸先側端部の見込面４４５が戸袋１０１の見付方向内側の面１０３（壁１００の開口部１０側の面）と面一に形成される。
【００４１】
続いて、図５も参照しながら戸先框４４について詳細に説明する。図５は、引戸１の、障子４が開放された状態における戸先框４４周辺を拡大した横断面図である。
戸先框４４の戸先框本体４４１には、障子４の見込み方向外側に、障子４を閉鎖した際に後述する縦材３３と当接する戸当り面４４６が形成される。戸当り面４４６は、戸先框４４の戸先側端部の見込面４４５よりも、障子４の見付方向内側に形成される。戸先框４４には、戸先側端部の見込面４４５の屋外側端部と戸当り面４４６の屋内側端部との間に見付面が形成され、この見付け面には凹部４４７からなる手掛け４４８が設けられる。また、戸先框４４は更に、凹部４４７の見付方向外側の内壁面から突出する突出部４４９、を有する。凹部４４７は、上下方向に通しで形成される。従って、手掛け４４８も、上下方向に通しで設けられる。手掛け４４８は、障子４が閉鎖された状態において見えがくれに位置する。突出部４４９は、凹部４４７の内側に受かって突出する。突出部４４９も、上下方向に通しで形成される。戸当り面４４６の屋外側端部には、戸当たりパッキン６０が設けられる。見込面４４５の屋外側端部は、ガラスパネル５５の屋内側端部よりも室内側に位置するように構成される。
【００４２】
引戸１の動作について説明する。
障子４が閉鎖された状態（図３）において、操作者は屋内側から戸先框４４の化粧カバー４４２の外側を把持して、障子４を見付方向外側に向かって走行させる。そして、障子４は戸袋１０１に引き込まれる（図４）。
障子４が開放された状態（図４）において、操作者は屋内側から手掛け４４８に手を掛ける。そして、操作者は、障子４を戸袋１０１から引き出して、見付方向内側に向かって走行させる。障子４は、戸先框４４の戸当り面４４６が縦材３３に当接することで閉鎖される。
【００４３】
本発明の実施形態によれば、以下の効果が奏される。
（１）上記実施形態では、戸先框４４の、戸先側端部の見込面４４５よりも見付方向内側に戸当り面４４６を形成した。更に、戸先框４４が、戸先側端部の見込面４４５と戸当り面４４６との間に形成された凹部４４７からなる手掛け４４８を有するものとした。
これにより、視認しやすい位置に手掛けを設けなくても、戸先側端部の見込面４４５と戸当り面４４６との間を手掛かりとして操作者が障子４を操作することができる。従って、引戸１は意匠性が高い。
【００４４】
（２）上記実施形態では、戸先框４４が、戸先側端部の見込面４４５と戸当り面４４６との間に形成された見付面の少なくとも一部に形成された凹部４４７を有するものとした。
これにより、操作者が、視認され難い凹部４４７を手掛けとして障子４を操作することができる。従って、引戸１は、意匠性と併せて操作性にも優れる。
【００４５】
（３）上記実施形態では、引戸１が、障子４が引き込まれる戸袋１０１を更に備え、障子４が戸袋１０１内に引き込まれたときに、戸先側端部の見込面４４５が戸袋１０１の見付方向内側の面１０３と面一に形成されるものとした。
これにより、障子４を開放した状態における意匠性をより向上させることができる。ところで、障子４が戸袋１０１内に引き込まれたときに戸先側端部の見込面４４５が面１０３と面一に形成された場合、通常、戸先框４４に手を掛け難くなる。これに対して、引戸１では、手掛け４４８を戸先側端部の見込面４４５よりも見付方向内側に形成した。よって、引戸１は、障子４が戸袋１０１内に引き込まれたときに戸先側端部の見込面４４５が面１０３と面一に形成されているにも関わらず、戸袋１０１内に引き込まれた障子４を引き出す際の操作性が高い。
【００４６】
（４）上記実施形態では、障子４が、召合せ框４３を備えるとともに、召合せ框４３の屋内側の見付面４３４と戸先框４４の屋内側の見付面４４０が同一平面に配置されるものとした。
これにより、障子４が閉鎖された状態では召合せ框４３によって、障子４が開放された状態では戸先框４４によって、それぞれ戸袋１０１の入口を閉鎖できる。従って、引戸１の意匠性をより向上させることができる。
【００４７】
なお、本発明は上記実施形態に限定されるものではなく、本発明の目的を達成できる範囲での変形、改良等は本発明に含まれる。
上記実施形態に係る引戸１は、両袖の障子４が戸袋１０１に引き込まれるタイプの引戸であったが、本発明の引戸はこのタイプに限定されない。
【符号の説明】
【００４８】
１…引戸
１０１…戸袋
１０３…面
２…枠体
４３…召合せ框
４３４…見付面
４４…戸先框
４４０…見付面
４４５…戸先側端部の見込面
４４６…戸当り面
４４７…凹部
４４９…突出部
【図１】
0006434824.tif 000002
【図２】
0006434824.tif 000003
【図３】
0006434824.tif 000004
【図４】
0006434824.tif 000005
【図５】
0006434824.tif 000006